(57)【特許請求の範囲】
【請求項１】
上流端に加圧流体管が連結されるようになされ、下流端に雄型管継手が取り外し可能に挿入連結されるようになされた雌型管継手であって、
該加圧流体管が連結される上流端開口と、下流端開口と、該上流端開口から該下流端開口に軸線方向で延びて加圧流体を通す流体通路を有する上流側管状部材と、
該上流側管状部材の流体通路内に摺動可能に取り付けられた弁ユニットであって、該流体通路の内壁面から半径方向内側に間隔をあけて設定された上流側ヘッド及び該上流側ヘッドに取り付けられ下流側に該流体通路の軸線方向で延びる筒状部材を備え、該筒状部材を貫通するように設けられた開口から当該筒状部材内を通って当該筒状部材の下流端開口に至る第１軸方向流路を有する第１弁部材と、該第１弁部材の周囲に設定されて該上流側管状部材の流体通路内に摺動可能に設定され、該上流側ヘッドと密封係合して、該上流側管状部材の流体通路を閉止する閉止位置と、該第１弁部材に対して相対的に下流側に変位して、該ヘッドから離れ、該上流側管状部材の該上流端開口からの加圧流体が該上流側ヘッドの周りを通って下流側に流れるのを許容する開放位置との間を変位可能とされた筒状の第２弁部材とを有する弁ユニットと、
該第２弁部材の半径方向外側位置で該第２弁部材を囲うように設定された弁保持部材であって、該第２弁部材に係合することにより、該第２弁部材が該第１弁部材の該上流側ヘッドに密封係合した該閉止位置にある状態で、該上流側ヘッドと該第２弁部材の上流側端面が該加圧流体から受ける下流側に向う流体圧力に抗して当該弁ユニットを保持する上流側保持位置と、該第２弁部材が該加圧流体により該開放位置となるのを許容する下流側開放位置との間で変位可能とされ、下流側開放位置に向けて付勢されている弁保持部材と、
該第１弁部材の筒状部材の周囲に該軸線方向で摺動可能に取り付けられ、該第１弁部材よりも下流側に延び、該第１弁部材の第１軸方向流路に連通される第２軸方向流路を有する中間管状部材であって、雄型管継手が当該雌型管継手内に挿入されない状態において該第２弁部材から下流側に離れて、該第１弁部材と該第２弁部材との間にある管状の空間を外気側に連通させるための連通スペースを該第２弁部材との間に形成する外気連通位置と、雄型管継手が雌型管継手内に挿入された状態で該第２弁部材に密封係合されて該連通スペースを閉止する連通遮断位置との間で変位可能とされ、外気連通位置に付勢されている中間管状部材と、  
該中間管状部材の周囲に設定されて、該中間管状部材に対して該軸線方向で摺動可能とされた雄型管継手受入管状部材であって、該中間管状部材の下流側端部よりも下流側に延びる部分に半径方向で貫通する施錠子孔を有する雄型管継手受入管状部材と、
該施錠子孔内に設定されて、挿入されてきた雄型管継手の外周面に形成された施錠子受入凹部に嵌合されて雄型管継手を保持する嵌合位置と、該施錠子受入凹部よりも半径方向外側位置とされ雄型管継手を開放する開放位置との間で変位可能とされた施錠子と、
該雄型管継手受入管状部材の周囲に軸線方向で摺動可能に設定され、該施錠子を半径方向外側から押圧して該施錠子を該嵌合位置とする押圧位置と、該施錠子が該開放位置となるのを許容する非押圧位置との間で変位可能とされ、該非押圧位置から押圧位置に向けて付勢され、該中間管状部材によって該非押圧位置に保持される押圧部材と、
該弁保持部材を該上流側保持位置に係止する係止部材であって、該中間管状部材が該連通遮断位置となった状態で、該弁保持部材が該下流側開放位置となるのを許容する係止部材と
を有し、雄型管継手が該雄型管継手受入管状部材内に挿入され、該雄型管継手が該中間管状部材に係合するようになり、該雄型管継手が該中間管状部材を押し込みながら更に雄型管継手受入管状部材内に挿入されることにより、該施錠子が該雄型管継手の施錠子受入凹部に整合した状態となり、該雄型管継手によって押し込まれた該中間管状部材から該押圧部材が外れて該押圧位置となり、更に雄型管継手が押し込まれて該中間管状部材が該連通遮断位置となり、係止部材による弁保持部材の係止が外れて、該弁保持部材の該下流側開放位置への変位を許容するようにしたことを特徴とする雌型管継手。
【請求項２】
該弁ユニットは、該弁保持部材が該下流側開放位置となり、該第２弁部材が該加圧流体により該開放位置に変位するときに、該第１弁部材も該加圧流体により下流側に変位するようになされており、該第１弁部材は、該第２弁部材が該下流側開放位置となる前に、該変位を停止されることにより、該第２弁部材が該第１弁部材に対して相対的に変位して該第１弁部材から離れるようになされている請求項１に記載の雌型管継手。  
【請求項３】
該第１弁部材は、該雄型管継手の先端部分に係合して下流側への変位を停止されるようにされている請求項２に記載の雌型管継手。
【請求項４】
弁保持部材は、その半径方向内側面に、該軸線方向で延びる細長い溝を備え、該第２弁部材は、該細長い溝の下流側端部に係合することにより、該閉止位置から該開放位置への変位を阻止されるようになされている請求項１乃至３のいずれかに記載の雌型管継手。
【請求項５】
該係止部材が、該上流側管状部材に固定されて、該第２弁部材と該弁保持部材との間を下流側に向けて延びる筒状部と、該筒状部に設けられた半径方向での貫通孔内に収納され、該雄型管継手受入管状部材に半径方向内側から係合されて、該弁保持部材を該上流側保持位置に係止する係止位置と、該雄型管継手受入管状部材から外れて、該係止位置から半径方向内側に変位して弁保持部材から外れて該弁保持部材が該下流側開放位置となるのを許容する係止解除位置との間で変位可能とされた球形係止エレメントとを有する請求項１乃至４のいずれかに記載の雌型管継手。
【請求項６】
該弁保持部材が該下流側開放位置とされた状態で、該弁保持部材を該下流側開放位置に施錠する施錠部材を有する請求項１乃至５のいずれかに記載の雌型管継手。
【発明の詳細な説明】
【技術分野】
【０００１】
本発明は雌型管継手に関し、特に、雄型管継手が挿入されることによって開放される弁を備えた雌型管継手に関する。
【背景技術】
【０００２】
弁を備えた雌型管継手に雄型管継手を挿入連結する場合、弁は流体圧を受けて雄型管継手の挿入に対する抵抗力を生じるので、流体圧が高い場合には、作業者による挿入連結操作が困難となる。また、雄型管継手を雌型管継手から外す場合には、雌型管継手の雄型管継手を施錠している施錠子が外れた段階で、雌型管継手内の流体圧により雄型管継手が外部に飛び出す虞がある。
【０００３】
このような問題を解決するために、雄型管継手の雌型管継手への挿入時には雌型管継手内の流体圧がかからず、また、雌型管継手から外すときには雌型管継手の施錠子が雄型管継手から外れる前に、流体圧を外部に逃すようにするための弁装置を設けた管継手が開発されている（例えば特許文献１参照）。
【先行技術文献】
【特許文献】
【０００４】
【特許文献１】特開２００３−２４０１７９号
【発明の概要】
【発明が解決しようとする課題】
【０００５】
特許文献１に開示された管継手では、雄型管継手を雌型管継手に対して挿入するときも外すときも作業者が弁装置を操作することを必要とする。本発明は、特許文献１の管継手と同様の機能を持ちながら、しかも雄型管継手の操作容易にすることを可能とする雌型管継手を提供することを目的としている。
【課題を解決するための手段】
【０００６】
すなわち、本発明は、
上流端に加圧流体管が連結されるようになされ、下流端に雄型管継手（以下に述べる発明の実施形態の説明では参照番号１２で示す）が取り外し可能に挿入連結されるようになされた雌型管継手（１０）であって、
該加圧流体管が連結される上流端開口（１６）と、下流端開口（１８）と、該上流端開口から該下流端開口に軸線方向で延びて加圧流体を通す流体通路（２０）を有する上流側管状部材（１４）と、
該上流側管状部材の流体通路内に摺動可能に取り付けられた弁ユニット（２２）であって、該流体通路の内壁面から半径方向内側に間隔をあけて設定された上流側ヘッド（２４）及び該上流側ヘッドに取り付けられ下流側に該流体通路の軸線方向で延びる筒状部材（２８）を備え、該筒状部材を貫通するように設けられた開口（３０）から当該筒状部材内を通って当該筒状部材の下流端開口に至る第１軸方向流路（３４）を有する第１弁部材（２６）と、該第１弁部材の周囲に設定されて該上流側管状部材の流体通路内に摺動可能に設定され、該上流側ヘッドと密封係合して、該上流側管状部材の流体通路を閉止する閉止位置（図１乃至図５）と、該第１弁部材に対して相対的に下流側に変位して、該ヘッドから離れ、該上流側管状部材の該上流端開口からの加圧流体が該上流側ヘッドの周りを通って下流側に流れるのを許容する開放位置（図６及び図７）との間を変位可能とされた筒状の第２弁部材（２７）とを有する弁ユニット（２２）と、
該第２弁部材の半径方向外側位置に設定された弁保持部材（４０）であって、該第２弁部材に係合することにより、該第２弁部材が該第１弁部材の該上流側ヘッドに密封係合した該閉止位置にある状態で、該上流側ヘッドと該第２弁部材の上流側端面が該加圧流体から受ける下流側に向う流体圧力に抗して当該弁ユニットを保持する上流側保持位置（図１乃至図５）と、該第２弁部材が該加圧流体により該開放位置となるのを許容する下流側開放位置（図６及び図７）との間で変位可能とされた弁保持部材（４０）と、
該第１弁部材の筒状部材の周囲に該軸線方向で摺動可能に取り付けられ、該第１弁部材よりも下流側に延び、該第１弁部材の第１軸方向流路に連通される第２軸方向流路（５０）を有する中間管状部材（５２）であって、雄型管継手が当該雌型管継手内に挿入されない状態において該第２弁部材から下流側に離れて、該第１弁部材と該第２弁部材との間にある管状の空間を外気側に連通させるための連通スペース（５６）を該第２弁部材との間に形成する外気連通位置（図１乃至図３）と、雄型管継手が雌型管継手内に挿入された状態で該第２弁部材に密封係合されて該連通スペースを閉止する連通遮断位置（図５乃至図７）との間で変位可能とされ、外気連通位置に付勢されている中間管状部材（５２）と、
該中間管状部材の周囲に設定されて、該中間管状部材に対して該軸線方向で摺動可能とされた雄型管継手受入管状部材（６０）であって、該中間管状部材の下流側端部よりも下流側に延びる部分に半径方向で貫通する施錠子孔を有する雄型管継手受入管状部材（６０）と、  
該施錠子孔内に設定されて、挿入されてきた雄型管継手の外周面に形成された施錠子受入凹部に嵌合されて雄型管継手を保持する嵌合位置と、該施錠子受入凹部よりも半径方向外側位置とされ雄型管継手を開放する開放位置との間で変位可能とされた施錠子（６２）と、
該雄型管継手受入管状部材の周囲に軸線方向で摺動可能に設定され、該施錠子を半径方向外側から押圧して該施錠子を該嵌合位置とする押圧位置（図４乃至図７）と、該施錠子が該開放位置となるのを許容する非押圧位置（図１乃至図３）との間で変位可能とされ、該非押圧位置から押圧位置に向けて付勢され、該中間管状部材によって該非押圧位置に保持される押圧部材（７０）と、
該弁保持部材（４０）を該上流側保持位置に係止する係止部材（８０）であって、該中間管状部材が該連通遮断位置となった状態（図５）で、該弁保持部材が該下流側開放位置となるのを許容する係止部材（８０）と  
を有し、雄型管継手（１２）が該雄型管継手受入管状部材（６０）内に挿入され、該雄型管継手が該中間管状部材（５２）に係合するようになり、該雄型管継手が該中間管状部材に押し込みながら更に雄型管継手受入管状部材内に挿入されることにより、該施錠子が該雄型管継手の施錠子受入凹部（１２ａ）に整合した状態となり、該雄型管継手によって押し込まれた該中間管状部材（５２）から該押圧部材（７０）が外れて該押圧位置となり、更に、該中間管状部材が該連通遮断位置となり、係止部材（８０）による弁保持部材（４０）の係止が外れて、該弁保持部材の該下流側開放位置への変位を許容するようにしたことを特徴とする雌型管継手を提供する。  
【０００７】
この雌型管継手においては、雄型管継手を当該雌型管継手内に挿入していくことにより、雄型管継手に対する施錠子の係合、施錠子の押圧、連通スペースの閉止が行われ、その状態で弁保持部材が外れるようになされており、弁ユニットの第２弁部材が加圧流体によって当該弁ユニットを開放するための開放位置となるようにしている。従って、作業者は弁ユニットを操作することなく、雄型管継手を雌型管継手内に挿入していくだけで、雄型管継手が雌型管継手に連結施錠された状態になってから、加圧流体の流通を可能とすることができる。また、雄型管継手を雌型管継手から引き抜くときは、弁保持部材を下流側開放位置から上流側保持位置に動かすことにより、弁ユニットの第２弁部材が上流側管状部材の流体通路を閉止する閉止位置となるようにし、その状態で、雄型管継手を引き抜き方向に動かせば、それに伴い中間管状部材が外気連通位置となり、弁ユニットよりも下流側の内部流体圧力が外気に逃される。外気連通位置となった中間管状部材は、押圧部材を非押圧位置に保持する状態となり、これにより雄型管継手は、内部流体圧力による飛び出しといった危険が無く、雌型管継手から安全に引き抜くことが可能となる。  
【０００８】
具体的には、該弁ユニット（２２）は、該弁保持部材（４０）が該下流側開放位置となり、該第２弁部材（２７）が該加圧流体により該開放位置に変位するときに、該第１弁部材（２６）も該加圧流体により下流側に変位するようになされており、該第１弁部材（２６）は、該第２弁部材（２７）が該下流側開放位置となる前に、該変位を停止されることにより、該第２弁部材が該第１弁部材に対して相対的に変位して該第１弁部材から離れるようにすることができる。
【０００９】
より具体的には、該第１弁部材（２６）は、該雄型管継手（１２）の先端部分に係合して下流側への変位を停止されるようにすることができる。
【００１０】
また、弁保持部材（４０）は、その半径方向内側面に該軸線方向で延びる細長い溝（４６）を備え、該第２弁部材（２７）は、該細長い溝の下流側端部に係合することにより、該閉止位置から該開放位置への変位を阻止されるようにすることができる。
【００１１】
更に、該第２弁部材（２７）は、その半径方向外側表面に形成された凹部に嵌合された球形係合部材（４４）を有し、該球形係合部材が該弁保持部材の該細長い溝（４６）に沿って相対的に変位可能で、該細長い溝の下流側端部に係合することにより、当該第２弁部材の該閉止位置から該開放位置への変位を阻止するようにすることができる。
【００１２】
更にまた、該係止部材（８０）が、該上流側管状部材（１４）に固定されて、該第２弁部材と該弁保持部材との間を下流側に向けて延びる筒状部と、該筒状部に設けられた半径方向での貫通孔内に収納され、該雄型管継手受入管状部材（６０）に半径方向内側から係合されて、該弁保持部材（４０）を該上流側保持位置に係止する係止位置と、該雄型管継手受入管状部材（６０）から外れて、該係止位置から半径方向内側に変位して弁保持部材（４０）から外れて該弁保持部材が該下流側開放位置となるのを許容する係止解除位置との間で変位可能とされた球形係止エレメント（８２）とを有するようにすることができる。
【００１３】
更に、弁保持部材（４０）が該下流側開放位置とされた状態で、該弁保持部材を該下流側開放位置に施錠する施錠部材（９０）を有するようにすることができる。
【００１４】
以下、本発明に係る雌型管継手を備えた管継手の実施形態を添付図面に基づき説明する。
【図面の簡単な説明】
【００１５】
【図１】本発明の実施形態に係る管継手の雌型管継手及び雄型管継手が分離された状態を示す縦断側面図である。
【図２】図１の雄型管継手を雌型管継手に挿入しはじめた状態を示す図である。
【図３】同雄型管継手を更に挿入した状態を示す図である。
【図４】同雄型管継手を更に挿入して、施錠子が雄型管継手の施錠子受入凹部に嵌合下状態を示す図である。
【図５】同雄型管継手を更に挿入して、弁保持部材から係止部材が外れた状態を示す図である。
【図６】弁保持部材が下流側開放位置となり、弁部材が開放された状態を示す図である。
【図７】施錠部材により、弁保持部材を下流側開放位置に保持するようにした状態を示す図である。
【図８】雄型管継手を雌型管継手から引き抜く作業を開始した状態で、施錠部材を図６の位置に戻した状態を示す図である。
【図９】弁保持部材を図５と同じ位置に戻した状態を示す図である。
【図１０】雄型管継手を引き抜きはじめた状態を示す図である。
【図１１】雄型管継手と共に中間管状部材が引き抜き方向に変位されて、中間管状部材と第２弁部材との間に大気連通スペースが生じた状態を示す図である。
【図１２】押圧部材が非押圧位置となり、雄型管継手が雌型管継手から完全に引き出された状態を示す図である。
【図１３】図６及び図８に示す状態における施錠部材の部分平面図である。
【図１４】図７に示す状態における施錠部材の部分平面図である。
【発明を実施するための形態】
【００１６】
図１に示すように雌型管継手１０は、図で見て左端の上流端に加圧流体管（図示せず）が連結されるようになされ、下流端に雄型管継手１２が取り外し可能に挿入連結されるようになされている。
【００１７】
雌型管継手１０は、加圧流体管が連結される上流側管状部材１４を有する。該上流側管状部材１４は、加圧流体管が連結される上流端開口１６と、下流端開口１８と、上流端開口１６から下流端開口１８に軸線方向で延びて加圧流体を通す流体通路２０を有する。
【００１８】
上流側管状部材１４の流体通路２０の下流端開口１８側には、弁ユニット２２が摺動可能に挿入されている。該弁ユニット２２は、流体通路２０の内壁面から半径方向内側に間隔をあけて設定された上流側ヘッド２４及び該上流側ヘッドに取り付けられ下流側に流体通路２０の軸線方向で延びる筒状部材２８を備える第１弁部材２６と、該第１弁部材の周囲に設定されて上流側管状部材１４の流体通路２０の周壁に摺動可能に設定された第２弁部材２７とを有する。
【００１９】
第１弁部材２６の筒状部材２８には、上流側ヘッド２４に隣接した位置で筒状部材２８を半径方向で貫通する開口３０が設けられ、該開口は筒状部材２８内を通って該筒状部材２８の下流端開口３２に至る第１軸方向流路３４と連通されている。第２弁部材２７は、上流側ヘッド２４と密封係合して、上流側管状部材１４の流体通路２０を閉止する閉止位置（図１乃至図５）と、第１弁部材２６に対して相対的に下流側に変位して、上流側ヘッド２４から離れ、上流側管状部材１４の上流端開口１６からの加圧流体が上流側ヘッド２４の周りを通って下流側に流れるのを許容する開放位置（図６，図７）との間を変位可能とされている。
【００２０】
当該雌型管継手の半径方向の最も外側には、第２弁部材２７を上記閉止位置（図１乃至図５）に保持するための弁保持部材４０が設定されている。具体的には、球形係合部材４４が、第２弁部材２７の外表面に係合された凹部に嵌合されるとともに、弁保持部材４０の内周面の後端縁から下流側に延びるように形成された細長い溝４６に係合されている。球形係合部材４４と溝４６との上記の如き係合により、弁保持部材４０が図１乃至図５に示す上流側保持位置にあるときには、溝４６の下流側端部（図において右側端部）が球形係合部材４４と係合して、加圧流体による下流側向けの圧力を受ける第１及び第２弁部材２６、２７が図６及び図７に示す開放位置に向けて下流側に動くのを阻止し、第１弁部材の上流側ヘッド２４が第２弁部材２７の上流側端面と密封係合するようにして当該流体通路２０を閉止する。弁保持部材４０が、図６及び図７に示す下流側の下流側開放位置に変位したときには、加圧流体によって、該第２弁部材２７が該第１弁部材２６と共に下方に変位して当該弁ユニット２２が図６及び図７に示す開放状態となるのを許容する。
【００２１】
第１弁部材２６の筒状部材２８の周囲には、軸線方向で摺動可能に取り付けられ、第１弁部材よりも下流側に延び、該第１弁部材２６の第１軸方向流路３４に連通される第２軸方向流路５０を有する中間管状部材５２が設けられている。該中間管状部材５２は、雄型管継手１２が雌型管継手１０内に挿入されない状態において、第２弁部材２７から下流側に離されて、第１弁部材２６と第２弁部材２７との間にある管状の空間５４を外気側に連通させるための連通スペース５６を第２弁部材２７との間に形成する外気連通位置（図１乃至図３）と、雄型管継手１２が雌型管継手１０内に挿入された状態で第２弁部材２７に密封係合されて連通スペース５６を閉止する連通遮断位置（図５及び図６）との間で変位可能とされている。この中間管状部材５２は、コイルバネ５５によって外気連通位置に付勢されている。
【００２２】
中間管状部材５２の周囲には、該中間管状部材に対して軸線方向で摺動可能とされた雄型管継手受入管状部材６０が設けられている。該雄型管継手受入管状部材６０は、中間管状部材５２の下流側端部よりも下流側に延びる雄型管継手受入部分に、球形施錠子６２を収納した施錠子孔を有する。施錠子６２は、挿入されてきた雄型管継手１２の外周面に形成された施錠子受入凹部１２ａに嵌合されて雄型管継手１２を保持する嵌合位置(図４乃至図７)と、該施錠子受入凹部１２ａよりも半径方向外側位置とされ雄型管継手１２を雌型管継手１０から開放する開放位置(図１乃至図３)との間で変位可能とされている。
【００２３】
雄型管継手受入管状部材６０の周囲には、軸線方向で摺動可能に設定された筒状の押圧部材７０が設けられている。該押圧部材は、施錠子６２を半径方向外側から押圧して施錠子６２を雄型管継手１２の施錠子受入凹部１２ａに嵌合させる押圧位置（図４乃至図７）と、施錠子６２が施錠子受入凹部１２ａから外れて開放位置となるのを許容する非押圧位置（図１乃至図３）との間で変位可能とされ、コイルバネ６６により非押圧位置から押圧位置に向けて付勢され、中間管状部材５２によって該非押圧位置に保持されるようになされている。図示の例では、雄型管継手受入管状部材６０に半径方向貫通孔が設けられ、該半径方向貫通孔内に球形保持部材７４が設けられている。該球形保持部材７４は、雄型管継手１２が雌型管継手１０内に挿入されて、施錠子受入凹部１２ａが施錠子６２と半径方向で整合されるまでは、中間管状部材５２によって半径方向内側から係合され、その半径方向外側部分が押圧部材７０の内周面に設けられた保持部材受入凹部７６に嵌合され、それにより、該押圧部材７０を非押圧位置に保持するようになっている。施錠子受入凹部１２ａが施錠子６２と半径方向で整合する位置まで、雄型管継手１２が雌型管継手１０内に挿入されると、中間管状部材５２は、その軸線方向の略中央位置に設けた樹脂製の係合部材７８（シール部材）が雄型管継手１２の先端によって係合され押し込まれて、中間管状部材５２が球形保持部材７４から外れ該球形保持部材７４が半径方向内側に変位するのを許容し、それにより、押圧部材７０がコイルバネ６６によって球形保持部材７４を半径方向内側に押し込みながら図４に示す押圧位置に変位されるようになっている。
【００２４】
上流側管状部材１４には、弁保持部材４０を上述した上流側保持位置（図１乃至図５）に保持するための筒状とされた係止部材８０が設けられている。該係止部材８０は、弁保持部材４０と第２弁部材２７との間を下流方向に延び、その下流側端部８０ａが内周面に雄型管継手受入管状部材６０の上流側端部６０ａが摺動係合するようになされている。該係止部材８０の下流側端部８０ａには球形係止エレメント８２を収納した半径方向貫通孔が設けられている。該球形係止エレメント８２は、図５乃至図７に示すように、雌型管継手１０内に挿入される雄型管継手１２によって中間管状部材５２が押し込まれてその上流端側端部が第２弁部材２７内に密封係合された状態(図５)にて、弁保持部材４０から外れて、該弁保持部材４０がコイルバネ８４によって下流側に向けて変位され、それによって、弁ユニット２２が閉止位置(図５)から開放位置(図６)に変位するのを許容するようになっている。また、係止部材８０には、第２弁部材２７に取り付けられた球形係合部材４４を通し、軸線方向でガイドするための長孔８０ｂが設けられている。
【００２５】
上流側管状部材１４と弁保持部材４０との間には、弁保持部材を施錠するための施錠部材９０が設けられている。この施錠部材９０は、外側筒状部９２と、該外側筒状部の内側にコイルバネ８４を収納する間隔をおいて配置された内側筒状部９４と、外側筒状部９２及び内側筒状部９４の上流端側を連結する連結部９６とを有している。連結部９６は、コイルバネ８４によって上流側管状部材１４に形成されたフランジ部分１４ａに押圧され、内側筒状部９４は、係止部材８０の外周面上に摺動可能とされている。内側筒状部９４には、図１３及び図１４に示すように、下流側縁１０２から上流側に延びてＬ字状に曲がったスロット１００が形成されており、該スロット１００には、係止部材８０の外周面に形成された凹部に嵌合された球形施錠子９８と係合するようになっている。雄型管継手１２が図１に示す状態から図６に示す雌型管継手１２内に完全に挿入された状態とされるまでは、施錠部材９０は、コイルバネ８４によって、その連結部９６が上流側管状部材１４のフランジ部分１４ａに係合され、球形施錠子９８及び球形係合部材４４と、スロット１００及び凹部１０４との関係は図１２に示される如き状態とされる。雄型管継手１２が雌型管継手１０内に完全に挿入された状態において、施錠部材９０は作業者によって下流側に変位され、次いで、図１３及び図１４で見て、下方に変位するように回動され、それにより施錠部材９０がスロット１００の先端にある曲り部分１００ａ内に係合し、施錠部材９０の下流側縁１０２が球形係合部材４４に略接する位置となる。このようにすることにより係止部材８０は球形施錠子９８によって上流側及び下流側への変位が阻止され、これにより、球形係合部材４４及び該球形係合部材を支持している第２弁部材２７の上流側への変位は阻止され、弁部材が開放状態に維持されることになる。
【００２６】
以上の説明において、雄型管継手１２を雌型管継手１０に挿入連結するときの当該雌型管継手の構成要素の動作は明らかになると思われるが、雄型管継手１２の挿入に当たっては、球形施錠子６２が雄型管継手１２に完全に連結されるまでは、雌型管継手内の流体圧力が雄型管継手１２に係ることはなく、雄型管継手の挿入作業を容易に行うことが可能となる。雌型管継手１０から雄型管継手１２を外すときに以下のようになる。
【００２７】
先ず、施錠部材９０を回動して球形施錠子９８を施錠部材９０のスロット１００の先端折り曲げ部１００ａから外すと、係止部材９０はコイルバネ８４によって上流側に変位され、図６と同じ図８の状態となる。この状態で、弁保持部材４０を上流側に変位して、第２弁部材２７を上流側に変位し、図９に示すように、第１弁部材２６の上流側ヘッド２４に密封係合し、更に弁保持部材４０を上流側に変位して、第１及び第２弁部材２６，２７を図１０に示す図１のときの位置に戻す。このときは、上流側ヘッド２４の上流側と下流側とは略同じ流体圧力となっているために、弁保持部材を上流側に変位するのに大きな力を必要としない。この状態から、雄型管継手１２を図１１に示すように下流側に引き抜いていくと、中間管状部材５２が雄型管継手１２と共に下流側に変位し、図示のように第２弁部材２７から離れて連通スペース５６が生じ、上流側ヘッド２４より下流側の流体圧力が該連通スペース５６を通して外気に通じる。更に、雄型管継手１２を引き抜き続けると、球形保持部材７４が押圧部材７０の保持部材受入凹部７６に係合するようになり、雄型管継手１２は球形施錠子６２を押圧部材７０の開放凹部７９に押し込みながら、雌型管継手１２の外側に引き抜かれる（図１２）。
【００２８】
以上、本発明の雌型管継手の実施形態につき説明したが、本発明はこれに限定されるものではなく、特許請求の範囲で規定する本発明の範囲内で種々の変形が可能とされる。
【符号の説明】
【００２９】
雌型管継手１０；雄型管継手１２；施錠子受入凹部１２ａ；上流側管状部材１４；フランジ部分１４ａ；上流端開口１６；下流端開口１８；流体通路２０；弁ユニット２２；上流側ヘッド２４；第１弁部材２６；第２弁部材２７；筒状部材２８；開口３０；下流端開口３２；第１軸方向流路３４；弁保持部材４０；球形係合部材４４；細長い溝４６；第２軸方向流路５０；中間管状部材５２；空間５４；連通スペース５６；コイルバネ５５；雄型管継手受入管状部材６０；球形施錠子６２；押圧部材７０；コイルバネ６６；球形保持部材７４；保持部材受入凹部７６；係合部材７８；開放凹部７９；係止部材８０；下流側端部８０ａ；上流側端部６０ａ；球形係止エレメント８２；施錠部材９０；コイルバネ８４；内側筒状部９４；外側筒状部９２；連結部９６；球形施錠子９８；スロット１００；曲り部分１００ａ；下流側縁１０２
【図１】
0005508433.tif 000002
【図２】
0005508433.tif 000003
【図３】
0005508433.tif 000004
【図４】
0005508433.tif 000005
【図５】
0005508433.tif 000006
【図６】
0005508433.tif 000007
【図７】
0005508433.tif 000008
【図８】
0005508433.tif 000009
【図９】
0005508433.tif 000010
【図１０】
0005508433.tif 000011
【図１１】
0005508433.tif 000012
【図１２】
0005508433.tif 000013
【図１３】
0005508433.tif 000014
【図１４】
0005508433.tif 000015